(57)【要約】  装置の故障を少なくしてメンテナンス回数を減らすとともに切削動作を安定させる。具体的には、ホルダ（５）には、電極チップ（２）の先端部（２ａ）が嵌合可能な嵌合面部（５２）が設けられる。ホルダ（５）には、切刃部（６ｂ）を有する切削部材（６）が取り付けられ、ホルダ（５）の回転動作により切刃部（６ｂ）が電極チップ（２）の先端部（２ａ）を切削する。嵌合面部（５２）には、回転軸心（Ｃ１）を中心として円弧状に延びる複数の溝部（５２ａ）が回転軸心（Ｃ１）に向かって互いに隣り合うよう連続で形成される。
2017094041.tif 000002
【特許請求の範囲】
【請求項１】
スポット溶接用電極チップの先端部が当該電極チップの中心軸を回転軸心に一致させた状態で嵌合可能な嵌合面部を有する回転体と、
該回転体に取り付けられ、且つ、上記嵌合面部に嵌合した電極チップの先端部の形状に対応するように上記回転体の回転軸心と交差する方向に延びる切刃部を有し、上記電極チップの先端部を上記嵌合面部に嵌合させた状態で上記回転体を回転させた際、上記切刃部が上記電極チップの先端部を切削する切削部材とを備え、
上記嵌合面部には、上記回転軸心を中心として延びる円弧状の複数の溝部が上記回転軸心に向かって互いに隣り合うよう連続で形成されていることを特徴とするチップドレス用切削カッター。
【請求項２】
請求項１に記載のチップドレス用切削カッターにおいて、
上記嵌合面部の表面には、窒化チタンコーティング層が形成されていることを特徴とするチップドレス用切削カッター。
【請求項３】
請求項１又は２に記載のチップドレス用切削カッターにおいて、
上記各溝部は、水平方向に延びる底面部及び垂直方向に延びる側面部からなっていることを特徴とするチップドレス用切削カッター。
【請求項４】
請求項３に記載のチップドレス用切削カッターが取り付けられ、該切削カッターを上記回転軸心周りに回転させる回転駆動手段と、
該回転駆動手段に接続され、上記切削部材が上記嵌合面部に嵌合した状態の上記電極チップの先端部を当該電極チップの中心軸方向に長さＬだけ切削するよう上記回転駆動手段に作動信号を出力する切削制御手段とを備え、
上記各溝部における側面部の高さＨは、上記長さＬより大きな値に設定されていることを特徴とするチップドレッサ。
【発明の詳細な説明】
【技術分野】
【０００１】
本発明は、スポット溶接用電極チップの先端部を切削するために用いるチップドレス用切削カッター及びその切削カッターを備えたチップドレッサに関する。
【背景技術】
【０００２】
一般的に、スポット溶接に用いる電極チップの先端部は、溶接を所定回数行うと磨耗したり、或いは、酸化皮膜等が付着して状態が悪化するので、チップドレッサを用いて周期的に切削する必要がある。【０００３】
例えば、特許文献１に開示されているチップドレス用切削カッターは、回転軸心が上下方向に延びる平面視で略Ｃ字状のホルダを備えている。該ホルダには、側方に開放するとともに上下方向に延びて上下両側にも開放する切欠凹部が形成され、該切欠凹部の内側面には、水平方向に延びる取付面が形成されている。上記ホルダの上下面には、当該ホルダの中央部分に行くにつれて次第に縮径する一対の嵌合面部が形成され、該各嵌合面部の形状は、ホルダの回転軸心に中心軸を一致させた電極チップの先端部形状に対応している。上記取付面には、上記各嵌合面部の形状に対応する一対の切刃部を有する切削部材が取り付けられ、上記各嵌合面部に電極チップの先端部を嵌合させた状態でホルダを回転軸心周りに回転させることにより、上記切削部材の切刃部が電極チップの先端部を切削するようになっている。
【先行技術文献】
【特許文献】
【０００４】
【特許文献１】国際公開第２０１３／０６１７１０号
【発明の概要】
【発明が解決しようとする課題】
【０００５】
ところで、特許文献１の如き切削カッターを用いて電極チップの先端部を切削する際、電極チップの先端部がその中心軸と交差する方向に嵌合面部に対して滑ると、ホルダの回転軸心に対する電極チップの中心軸がずれてしまって切削部材による切削動作が不安定になってしまう。【０００６】
これを防止するために、電極チップの嵌合面部に対する加圧力を上げて電極チップの先端部と嵌合面部との間の摩擦抵抗を上げることにより、嵌合面部に対して電極チップの先端部をその中心軸と交差する方向に滑り難くすることが考えられる。【０００７】
しかし、電極チップの先端部と嵌合面部との間の摩擦抵抗が上がると、ホルダが電極チップの先端部に対して回転軸心周りに回転し難くなってしまうので、返って切削カッターの切削能力が下がってしまうという問題が発生する。また、電極チップの嵌合面部に対する加圧力を上げると、ホルダを回転させる駆動部分に対して加わる負荷が、回転軸心方向にだけでなく、電極チップの先端部と嵌合面部との間の摩擦抵抗が上がることによって回転軸心周りにも大きくなってしまうので、装置の故障が多くなってメンテナンス回数が増えてしまうおそれがある。【０００８】
本発明は、斯かる点に鑑みてなされたものであり、その目的とするところは、装置の故障を少なくしてメンテナンス回数を減らすことができ、しかも、切削動作を安定させることができる切削能力の高いチップドレス用切削カッター及びその切削カッターを備えたチップドレッサを提供することにある。
【課題を解決するための手段】
【０００９】
上記の目的を達成するために、本発明は、電極チップの先端部を嵌合させる嵌合面部に複数の溝部を設けるようにしたことを特徴とする。【００１０】
すなわち、第１の発明では、スポット溶接用電極チップの先端部が当該電極チップの中心軸を回転軸心に一致させた状態で嵌合可能な嵌合面部を有する回転体と、該回転体に取り付けられ、且つ、上記嵌合面部に嵌合した電極チップの先端部の形状に対応するように上記回転体の回転軸心と交差する方向に延びる切刃部を有し、上記電極チップの先端部を上記嵌合面部に嵌合させた状態で上記回転体を回転させた際、上記切刃部が上記電極チップの先端部を切削する切削部材とを備え、上記嵌合面部には、上記回転軸心を中心として延びる円弧状の複数の溝部が上記回転軸心に向かって互いに隣り合うよう連続で形成されていることを特徴とする。【００１１】
第２の発明では、第１の発明において、上記嵌合面部の表面には、窒化チタンコーティング層が形成されていることを特徴とする。【００１２】
第３の発明では、第１又は第２の発明において、上記各溝部は、水平方向に延びる底面部及び垂直方向に延びる側面部からなっていることを特徴とする。【００１３】
第４の発明では、第３の発明のチップドレス用切削カッターが取り付けられ、該切削カッターを上記回転軸心周りに回転させる回転駆動手段と、該回転駆動手段に接続され、上記切削部材が上記嵌合面部に嵌合した状態の上記電極チップの先端部を当該電極チップの中心軸方向に長さＬだけ切削するよう上記回転駆動手段に作動信号を出力する切削制御手段とを備え、上記各溝部における側面部の高さＨは、上記長さＬより大きな値に設定されていることを特徴とする。
【発明の効果】
【００１４】
第１の発明では、電極チップの先端部を嵌合面部に嵌合させると、当該嵌合面部における隣り合う溝部の連続部分がそれぞれ電極チップの先端部に接触する。この状態で回転体を回転させると、隣り合う溝部の連続部分が電極チップの先端部に対して中心軸と交差する方向に引っ掛かるとともに、電極チップの先端部に対する回転体の回転を案内するようになる。したがって、切削作業時において、回転体の回転時に電極チップの先端部がその中心軸と交差する方向に嵌合面部に対して滑って回転軸心が電極チップの中心軸からずれるといったことがなくなり、電極チップの嵌合面部に対する加圧力を上げて装置の故障が増えるといったことを避けることができるとともに切削部材の切削動作を安定させることができる。また、電極チップの先端部と嵌合面部との間の接触面積が減り、回転体の回転時における電極チップの先端部に対する切刃部の食い込み量が増えるので、切削カッターの切削能力を高めて効率良く電極チップの先端部を切削することができる。【００１５】
第２の発明では、切削作業時において、嵌合面部を保護して各溝部の変形を防ぐとともに嵌合面部の平滑性が向上するので、切削カッターの切削能力をさらに高めることができる。【００１６】
第３の発明では、嵌合面部に複数の溝部を形成する際、加工が施し易い形状であるので、製造コストを低く抑えることができる。【００１７】
第４の発明では、切削作業が終了するまでの間、切削部材の切刃部が電極チップの先端部に食い込んだときに当該電極チップの先端部が溝部の底面部に接触しなくなる。したがって、切削作業時に電極チップの先端部が溝部の底面部に不規則に接触することによって切削カッターに振動が発生してしまい、切削カッターの切削能力が低下してしまうといったことを防ぐことができる。
【図面の簡単な説明】
【００１８】
【図１】本発明の実施形態に係るチップドレッサの斜視図である。
【図２】本発明の実施形態に係る切削カッターの斜視図である。
【図３】図１のIII−III線における断面図である。
【図４】図３のIV−IV線における断面図である。
【図５】図４の切削カッターと電極チップとの接触部分を拡大した図である。
【発明を実施するための形態】
【００１９】
以下、本発明の実施形態を図面に基づいて詳細に説明する。尚、以下の好ましい実施形態の説明は、本質的に例示に過ぎない。
【００２０】
図１は、本発明の実施形態に係るチップドレッサ１を示す。該チップドレッサ１は、溶接ガン（図示せず）のシャンクに嵌め込まれて対向する一対の電極チップ２（図３参照）の先端部２ａをそれぞれ切削するためのものであり、水平方向に延びる板状ケース部１ａと、該板状ケース部１ａの長手方向一方側下方に設けられた筒中心線方向が上下方向に向く円筒状のモータケース部１ｂと、該モータケース部１ｂの側面に取り付けられ、上記板状ケース部１ａ及び上記モータケース部１ｂに加わる上下方向の衝撃を吸収する衝撃吸収機構部１ｃとを備え、上記モータケース部１ｂの内部には、回転軸が上方に向かって延びる駆動モータ８が収容されている。
【００２１】
上記板状ケース部１ａにおける長手方向他方側の上面及び下面には、図３に示すように、互いに対向する円形状をなす一対の貫通孔１ｄが形成されている。
【００２２】
上記板状ケース部１ａ内部の上記両貫通孔１ｄの間には、リング状をなす出力歯車３が上下一対のベアリングＢｅ１を介して上下方向に延びる回転軸心Ｃ１周りに回転可能に取り付けられている。
【００２３】
上記出力歯車３は、上記駆動モータ８とで本発明の回転駆動手段９を構成していて、上記駆動モータ８の回転駆動により、上記駆動モータ８と出力歯車３との間に設けられた歯車噛合機構（図示せず）を介して回転軸心Ｃ１周りに回転するようになっている。
【００２４】
上記出力歯車３の中央には、上下に貫通する取付用孔３ａが設けられ、該取付用孔３ａには、上記電極チップ２の先端部２ａを切削するための金属製切削カッター４が装着されている。
【００２５】
該切削カッター４は、図２に示すように、側面視で略Ｔ字状をなすホルダ５と、該ホルダ５に着脱可能に取り付けられる略三角形板状の切削部材６とを備えている。
【００２６】
上記ホルダ５は、平面視で略Ｃ字状をなし、上下方向に延びる短い柱状のホルダ本体５１を備え、該ホルダ本体５１には、側方に開放するとともに上下に亘って延びて上下両端にも開放する平面視で略扇状の切欠凹部５１ａが形成されている。
【００２７】
上記ホルダ本体５１の上下面には、当該ホルダ本体５１の中央部分に行くにつれて次第に縮径する一対の嵌合面部５２が回転軸心方向に対称に形成されている。
【００２８】
該各嵌合面部５２の形状は、上記電極チップ２の先端部２ａの湾曲形状に対応していて、上記電極チップ２の中心軸が回転軸心Ｃ１に一致した状態で上記電極チップ２の先端部２ａが嵌合するようになっている。
【００２９】
上記嵌合面部５２には、上記回転軸心Ｃ１を中心として延びる円弧状の複数の溝部５２ａが回転軸心Ｃ１に向かって互いに隣り合うよう連続で形成されている。
【００３０】
該各溝部５２ａは、図４及び図５に示すように、水平方向に延びる底面部５２ｂ及び垂直方向に延びる側面部５２ｃからなり、上記嵌合面部５２の表面は、上記各溝部５２ａによって階段状となっている。
【００３１】
上記各溝部５２ａにおける側面部５２ｃの高さＨは、図５に示すように、後述する切削長さＬより大きな値に設定されている。
【００３２】
また、上記嵌合面部５２の表面には、窒化チタンコーティング層が形成されている。尚、窒化チタンコーティング層は、その厚みが非常に薄いため、便宜上、図面には記載していない。
【００３３】
上記ホルダ本体５１の上部には、当該ホルダ本体５１の上端周縁から外側方に延びるフランジ５３が設けられている。
【００３４】
上記切欠凹部５１ａの上記回転軸心Ｃ１から外側方に延びる内側面には、段差状に窪む取付段差部５１ｂが形成されている。
【００３５】
該取付段差部５１ｂは、上記切削部材６に対応する形状をなしていて、上記取付段差部５１ｂには、上記切削部材６がその板厚方向を上記ホルダ５の回転方向に一致させた姿勢でネジＳｃ１によって取り付けられるようになっている。
【００３６】
上記切削部材６の上記回転軸心Ｃ１から遠い側の上部及び下部には、側面視で矩形に切り欠かれた形状の位置決め凹部６ａが一対形成されている。
【００３７】
上記切削部材６の上記回転軸心Ｃ１に近い側の上縁部及び下縁部には、一対の切刃部６ｂが形成され、該切刃部６ｂは、上記切削部材６を上記取付段差部５１ｂに取り付けた状態で上記嵌合面部５２に対応する湾曲形状をなしている。
【００３８】
すなわち、上記各切刃部６ｂは、上記嵌合面部５２に嵌合した状態の電極チップ２の先端部２ａの形状に対応するように上記回転軸心Ｃ１と交差する方向に延びている。
【００３９】
上記モータケース部１ｂに収容された駆動モータ８には、図１に示すように、制御盤７（切削制御手段）が接続されている。
【００４０】
該制御盤７は、上記電極チップ２の先端部２ａを上記嵌合面部５２に嵌合させた状態で上記駆動モータ８に作動信号を出力して上記出力歯車３を回転させることにより、上記切削カッター４を回転軸心Ｃ１周りに回転させるようになっている。そして、上記切刃部６ｂが上記電極チップ２の先端部２ａを当該電極チップ２の中心軸方向に切削長さＬだけ切削するようになっている。
【００４１】
次に、上記チップドレッサ１を用いて電極チップ２の先端部２ａを切削する作業について説明する。
【００４２】
まず、先端部２ａの状態が悪い一対の電極チップ２を上記チップドレッサ１の板状ケース部１ａの上方及び下方にそれぞれ移動させるとともに、両電極チップ２の中心軸を回転軸心Ｃ１に一致させる。
【００４３】
次いで、上記チップドレッサ１の駆動モータ８を回転駆動させて上記切削カッター４を回転軸心Ｃ１周りに回転させる。
【００４４】
しかる後、各電極チップ２をホルダ５の各嵌合面部５２に回転軸心Ｃ１に沿って接近させ、各嵌合面部５２に各電極チップ２の先端部２ａを嵌合させる。すると、図３乃至図５に示すように、嵌合面部５２における隣り合う溝部５２ａの連続部分がそれぞれ電極チップ２の先端部２ａに対して中心軸と交差する方向に引っ掛かるとともに、電極チップ２の先端部２ａに対する回転体の回転を案内するようになる。そして、切削部材６の各切刃部６ｂが各電極チップ２の先端部２ａに接触して当該先端部２ａが切削される。したがって、切削作業時において、ホルダ５の回転時に電極チップ２の先端部２ａが当該電極チップ２の中心軸と交差する方向に嵌合面部５２に対して滑って回転軸心Ｃ１が電極チップ２の中心軸からずれるといったことがなくなり、電極チップ２の嵌合面部５２に対する加圧力を上げて装置の故障が増えるといったことを避けることができるとともに切削部材６の切削動作を安定させることができる。
【００４５】
また、電極チップ２の先端部２ａと嵌合面部５２との間の接触面積が減り、ホルダ５の回転時における電極チップ２の先端部２ａに対する切刃部６ｂの食い込み量が増えるので、切削カッター４の切削能力を高めて効率良く電極チップ２の先端部２ａを切削することができる。
【００４６】
また、嵌合面部５２の表面には、窒化チタンコーティング層が形成されているので、切削作業時において、窒化チタンコーティング層が嵌合面部５２の表面を保護して各溝部５２ａの変形を防ぐとともに嵌合面部５２表面の平滑性が向上するようになり、切削カッター４の切削能力をさらに高めることができる。
【００４７】
さらに、上記各溝部５２ａは、水平方向に延びる底面部５２ｂ及び垂直方向に延びる側面部５２ｃからなるので、嵌合面部５２に複数の溝部５２ａを形成する際、加工が施し易く製造コストを低く抑えることができる。
【００４８】
それに加えて、各溝部５２ａにおける側面部５２ｃの高さＨは、図５に示すように、上記切削長さＬより大きな値に設定されているので、切削作業が終了するまでの間、切削部材６の切刃部６ｂが電極チップ２の先端部２ａに食い込んだときに当該電極チップ２の先端部２ａが溝部５２ａの底面部５２ｂに接触しなくなる。したがって、切削作業時に電極チップ２の先端部２ａが溝部５２ａの底面部５２ｂに不規則に接触することによって切削カッター４に振動が発生してしまい、切削カッター４の切削能力が低下してしまうといったことを防ぐことができる。
【００４９】
尚、本発明の実施形態の嵌合面部５２に形成した各溝部５２ａは、水平方向に延びる底面部５２ｂ及び垂直方向に延びる側面部５２ｃからなっているが、底面部５２ｂ及び側面部５２ｃの延びる方向がその他の方向に延びる形状であってもよい。
【産業上の利用可能性】
【００５０】
本発明は、スポット溶接用電極チップの先端部を切削するために用いるチップドレス用切削カッター及びその切削カッターを備えたチップドレッサに適している。
【符号の説明】
【００５１】
１        チップドレッサ
２        電極チップ
２ａ        先端部
４        切削カッター
５        ホルダ（回転体）
６        切削部材
６ｂ        切刃部
７        制御部（切削制御手段）
９        回転駆動手段
５２        嵌合面部
５２ａ        溝部
５２ｂ        底面部
５２ｃ        側面部
【図１】
2017094041.tif 000003
【図２】
2017094041.tif 000004
【図３】
2017094041.tif 000005
【図４】
2017094041.tif 000006
【図５】
2017094041.tif 000007
【国際調査報告】
2017094041.tif 000008
2017094041.tif 000009